(57)【要約】【課題】 毛髪パーマ、化粧水、トリートメント等に最適な水を製造する。【解決手段】密閉型タンク内に原水を送り込み、上記密閉型タンクから取り出した原水に、中性場改質器により中性場をかけるとともに、紫外線殺菌灯による殺菌および／または加熱による殺菌を施した上、該密閉型タンク内の上方の原水に衝撃をもって循環させることにより上記原水中に中性場をかけた原水を投入する第１の工程と、多孔質炭化物を収容した密閉型タンク内に上記第１の工程からの水を送り込み、上記多孔質炭化物を通過した水を上記密閉型タンクから取り出して、触媒作用を備えた１または２以上の改質器を通し、さらに紫外線殺菌灯による殺菌および／または加熱による殺菌を施した上、該密閉型タンク内の上記多孔質炭化物上方の水に衝撃をもって循環させることにより上記第１工程からの水を浄化する一方、上記循環する水又は上記密閉型タンク内の水に、中性場改質器を通して改質したエアーを送り込んで溶存させる第２の工程とを備えたことを特徴とする中性水の製造方法。【選択図】  図１
2005254187.tif 000002
【特許請求の範囲】
【請求項１】
密閉型タンク内に原水を送り込み、上記密閉型タンクから取り出した原水に、中性場改質器により中性場をかけるとともに、紫外線殺菌灯による殺菌および／または加熱による殺菌を施した上、該密閉型タンク内の上方の原水に衝撃をもって循環させることにより上記原水中に中性場をかけた原水を投入する第１の工程と、
多孔質炭化物を収容した密閉型タンク内に上記第１の工程からの水を送り込み、上記多孔質炭化物を通過した水を上記密閉型タンクから取り出して、触媒作用を備えた１または２以上の改質器を通し、さらに紫外線殺菌灯による殺菌および／または加熱による殺菌を施した上、該密閉型タンク内の上記多孔質炭化物上方の水に衝撃をもって循環させることにより上記第１工程からの水を浄化する一方、上記循環する水又は上記密閉型タンク内の水に、中性場改質器を通して改質したエアーを送り込んで溶存させる第２の工程とを備えたことを特徴とする中性水の製造方法。
【請求項２】
上記第１の工程における密閉型タンクとして、化石サンゴを収容した第１の密閉型タンクと、化石サンゴ及びゼオライトを収容した第２の密閉型タンクとを用い、上記原水を上記第１の密閉型タンクで循環させた後、上記第２の密閉型タンクで循環させるようにした請求項１記載の中性水の製造方法。
【請求項３】
上記第２の工程における触媒作用を備えた１または２以上の改質器が、化石サンゴとゼオライトの組合せを用いた改質器、炭素含有シリカを用いた改質器、水処理用セラミックを用いた改質器等から選択された請求項１又は２記載の中性水の製造方法。
【発明の詳細な説明】
【技術分野】
【０００１】
この発明は中性水の製造方法に関し、例えば毛髪パーマ処理、化粧水、その他の毛髪や肌を処理するために使用するのに適した水を製造する方法に関する。
【背景技術】
【０００２】
例えば、美容院においては水道水が広く使用され、水道水によって毛髪を洗髪し、水道水とパーマ液とをほぼ等容量で混合したものを用いて毛髪にパーマをあてることが行なわれている。
しかし、上述の方法によるパーマは２〜３日もすると毛髪のパーマがとれてしまうばかりでなく、毛髪が非常に傷むという問題があった。
【０００３】
そのため、特開平１０−２８６５９６号公報（特許文献１参照）に示されたように、原水にミネラル成分を溶出させるとともに、エアーの溶存濃度を高め、更に浄化殺菌を行なって中性水を製造し、毛髪パーマの場合には上述の中性水をアルカリ性及び酸性に調整し、パーマ液と混合して使用することが提案されている。
【特許文献１】特開平１０−２８６５９６号公報
【発明の開示】
【発明が解決しようとする課題】
【０００４】
しかし、上述の方法による水を用いたパーマ液によるパーマにおいては、パーマの持続力が実用性に耐えるほど充分ではなく、また毛髪の傷みやすさが充分解消されていないという問題があった。
【０００５】
本発明は、かかる点に鑑み、毛髪パーマ等に使用するのに適した水を製造する方法を提供することを課題とする。
【課題を解決するための手段】
【０００６】
本件発明者は更に研究を重ねた結果、原水にミネラル成分を溶出させるとともに、エアーの溶存濃度を高め、更に中性場をかけたり、触媒作用を有するセラミックやその他の材料を用いた改質器を用いて浄化殺菌、あるいは望ましい改質を行なって中性水を製造し、毛髪パーマの場合には上述の中性水をパーマ液と混合して使用すればよいことを知見し、本発明を完成するに至った。
【０００７】
そこで、本発明に係る中性水の製造方法は、
密閉型タンク内に原水を送り込み、上記密閉型タンクから取り出した原水に、中性場改質器により中性場をかけるとともに、紫外線殺菌灯による殺菌および／または加熱による殺菌を施した上、該密閉型タンク内の上方の原水に衝撃をもって循環させることにより上記原水中に中性場をかけた原水を投入する第１の工程と、
多孔質炭化物を収容した密閉型タンク内に上記第１の工程からの水を送り込み、上記多孔質炭化物を通過した水を上記密閉型タンクから取り出して、触媒作用を備えた１または２以上の改質器を通し、さらに紫外線殺菌灯による殺菌および／または加熱による殺菌を施した上、該密閉型タンク内の上記多孔質炭化物上方の水に衝撃をもって循環させることにより上記第１工程からの水を浄化する一方、上記循環する水又は上記密閉型タンク内の水に、中性場改質器を通して改質したエアーを送り込んで溶存させる第２の工程とを備えたことを特徴とするものである。
【０００８】
本発明の特徴の１つは原水にミネラル成分を溶解させるとともに、浄化及び殺菌を行い、エアー溶存濃度を高め、中性水として取り出すようにした点にある。本件発明者の実験によれば、上述の方法で製造した中性水はｐＨを調整した後、少量のパーマ液で毛髪にパーマをあてることができ、しかも毛髪の傷みが非常に少なく、さらには２〜３回程度パーマをあてるとそれまで傷んでいた毛髪がかえって正常になることが分かった。また、そのまま化粧水やトリートメントとしても使用でき、更には草木の種子を発芽させる際に与えると、水道水等では発芽に１週間程度必要であったのが、上述の中性水では３日程度で発芽することがわかった。
【０００９】
各工程における密閉型タンクは１つでもよいが、複数の密閉型タンクを用いて各工程における目的を確実に達成するのがよい。密閉型タンクは、原水のみを充填するものであっても、ミネラル含有体を充填したものであってもよい。ミネラル含有体はミネラル成分を溶出するものであればよく、例えば化石サンゴを使用すると優れた効果が確認されたが、他のミネラル含有体を用いることもできる。化石サンゴの場合、同時に例えばゼオライトを併用するのがよい。
【００１０】
すなわち、第１の工程における密閉型タンクとして、何も充填しないか、あるいは化石サンゴを収容した第１の密閉型タンクと、化石サンゴ及びゼオライトを収容した第２の密閉型タンクとを用い、原水を第１の密閉型タンクで循環させた後、第２の密閉型タンクで循環させるのがよい。
【００１１】
また、本発明では水中のエアー溶存濃度を高めることが大切であることが確認されている。そこで、第１の工程における密閉型タンクで原水を循環させるに際にもエアーを送り込んでエアーを溶存させるようにするのがよい。エアーの送り込み方法は散気管によって空気を圧送する曝気で行ってもよいし、本発明では水を密閉型タンク内に衝撃をもって循環させる際にノズルを使用するので、該ノズルにエアーを供給して溶存させる方法を採用することもできる。
【００１２】
多孔質炭化物は水を浄化する機能を有するものであればよく、例えば木炭、炭素含有シリカ、竹炭等を用いることができる。
例えば、第２の工程における密閉型タンクとして、木炭を収容した第３の密閉型タンク、炭素含有シリカを収容した第４の密閉型タンク及び竹炭を収容した第５の密閉型タンクを用い、第１の工程からの水を第３の密閉型タンクで循環させた後、第４の密閉型タンクに送り込んで循環させ、更に第５の密閉型タンクに送り込んで循環させるのがよい。
その際、浄化殺菌の目的を充分達成できるよう、各タンクの循環系に紫外線殺菌灯による殺菌手段か、スチーマーやヒータ等による加熱殺菌手段を配備して、多孔質炭化物等と併用することが望ましい。
【００１３】
また、上記第２の工程における触媒作用を備えた１または２以上の改質器として、化石サンゴとゼオライトの組合せを用いた改質器、炭素含有シリカを用いた改質器、水処理用セラミックを用いた改質器等から選択することができる。
ちなみに上記水処理用セラミックとしては、次のようなものが利用可能である。
ａ）抗菌性リン酸カルシウムを担体にしてセラミックに配合・高温焼結したもの。
ｂ）坑酸化物質、カルシウム、磁鉄鉱等をセラミックに配合・高温焼結したもの。
ｃ）ミネラル成分や、吸着性を有する原石（麦飯石、ゼオライト、π化セラミック等）を使用したもの。
ｄ）ポーラス（多孔）セラミックを使用したもの。
【００１４】
各密閉型タンクでの処理は所期の目的を達成する上で少なくとも３日以上、好ましくは３日以上で７日以内継続させるのがよい。また、原水は水道水でもよいが、その場合にはイオン交換樹脂を通して塩素等の不純物質を除去しておく必要がある。他方、本発明の特徴の１つは水にミネラル成分を溶解させる点にあり、また天然ミネラル水には塩素等が水道水のように含まれていない。そこで、原水として天然ミネラル水を使用するのがよい。
【発明の効果】
【００１５】
本発明によれば、原水にミネラル成分を溶解させるとともに、浄化及び殺菌を行い、エアーの溶存濃度を高め、さらに中性場改質器や水処理用のセラミック類を使用して改質することにより中性水を製造するようにしたので、毛髪のパーマ、化粧水、トリートメント、種子の発芽促進用に適した水が得られた。
【発明を実施するための最良の形態】
【００１６】
以下、本発明を図面に示す具体例に基づいて詳細に説明する。
図面はこの発明の中性水の製造方法の好ましい実施形態を示し、図１はこの発明の１実施例を示す構成図、図２はこの発明の他の実施例を示す構成図である。
図１において、ポンプ１０で地下水等を供給される、第１の系列（図中上段）の原水タンク１１は密閉構造をなし、該原水タンク１１内には天然ミネラル水（原水）が貯留され、上記原水タンク１１の底部と上面との間には循環通路が配管され、該循環通路の途中にはポンプ１２、ミクロフィルタ１３及び開閉弁１４が配設され、また循環通路の先端側にはノズル（図示せず）が配設され、原水タンク１１内の原水を原水タンク１１の底部から取り出して原水タンク１１の上部に噴霧することにより、衝撃をもって循環させるようになっている。
【００１７】
図１において、１５はポンプ１２の前に取り付けたストレーナ、１６は前後にフィルタを配設した紫外線殺菌灯である。また、原水タンク１１には底部に曝気設備（図示せず）が配設され、原水タンク１１内の水にエアーを吹き込んで溶存させるようにすることが望ましい。
【００１８】
また、循環通路のミクロフィルタ１３と開閉弁１４との間には分岐通路１８が接続され、該分岐通路１８の途中には開閉弁１９が配設され、分岐通路１８の先端は、第２の工程を構成する第１の密閉型タンク２０の上部に連通して接続されている。この第１の密閉型タンク２０の底部にはミネラル含有体、例えば化石サンゴ２１が収容されている。また第１の密閉型タンク２０の直下には中性場改質器２９を配設するとともに、第１の密閉型タンク２０の底部と上面との間には原水タンク１１の場合と同様に循環通路が配管され、ミネラル含有体２１を通過した原水を第１の密閉型タンク２０の底部から取り出して該密閉型タンク２０内の上方の水に衝撃をもって循環させ、原水中にミネラル成分を溶出させるようになっている。
中性場改質器２９とは、液体又は気体の通路を仕切るように複数枚のハニカムフィルターを設け、その間に液体又は気体の通路を形成するよう配置した管状部材に沿って、その外周上に磁場のニュートラルゾーンを形成する磁石を設置したことを特徴とする流体改質装置（特願2003-162697参照）のことであり、もちろんこれと同等の機能を備えた流体改質装置を含むものである。
図１において、２２はポンプ、２３はポンプ２２の前に取り付けたストレーナ、２４はフィルタ、２５は両側にストレーナを配設したスチーマー（蒸気加熱器）である。もちろん、ヒータ（電熱器）等であってもよい。また、フィルタ２４とスチーマー２５との間にはフィルタ２６を介して分岐通路２７が接続され、該分岐通路２７の途中には開閉弁２８が配設され、分岐通路２７の先端はフィルタを介して給水口に接続される。
【００１９】
第２の系列（図中下段）の原水タンクおよび第１の密閉型タンクも第１の系列のものと同様の構成である。
【００２０】
図２において、ポンプ３０で地下水等を供給される、第１の系列（図中上段）の原水タンク３１は密閉構造をなし、該原水タンク３１内には天然ミネラル水（原水）が貯留され、上記原水タンク３１の底部と上面との間には循環通路が配管され、該循環通路の途中にはポンプ３２、ミクロフィルタ３３及び開閉弁３４が配設され、また循環通路の先端側にはノズル（図示せず）が配設され、原水タンク３１内の原水を原水タンク３１の底部から取り出して原水タンク３１の上部に噴霧することにより、衝撃をもって循環させるようになっている。
【００２１】
図２において、３５はポンプ３２の前に取り付けたストレーナ、３６は前後にフィルタを配設した紫外線殺菌灯である。また、原水タンク３１には底部に曝気設備（図示せず）が配設され、原水タンク３１内の水にエアーを吹き込んで溶存させるようにすることが望ましい。
【００２２】
また、循環通路のミクロフィルタ３３と開閉弁３４との間には分岐通路３８が接続され、該分岐通路３８の途中には開閉弁３９が配設され、分岐通路３８の先端は、第１の密閉型タンク４０の上部に連通して接続されている。この第１の密閉型タンク４０の直下には中性場改質器４１を配設するとともに、第１の密閉型タンク４０の底部と上面との間には原水タンク３１の場合と同様に循環通路を配管し、該循環通路の途中にはポンプ４２、ミクロフィルタ４３及び開閉弁４４が配設され、中性場改質器４１を通過した原水を第１の密閉型タンク４０の底部から取り出して該密閉型タンク４０内の上方の水に衝撃をもって循環させ、原水中にミネラル成分を溶出させるようになっている。
【００２３】
図２において、４５はポンプ４２の前に取り付けたストレーナ、４６は前後にフィルタを配設した紫外線殺菌灯である。また、第１の密閉型タンク４０には底部に曝気設備（図示せず）が配設され、第１の密閉型タンク４０内の水にエアーを吹き込んで溶存させるようにすることが望ましい。
【００２４】
上記循環通路のミクロフィルタ４３と開閉弁４４との間には分岐通路４７が接続され、該分岐通路４７の途中には開閉弁４８が配設され、分岐通路４７の先端は、第２の工程を構成する第２の密閉型タンク４９の上部に連通して接続されている。この第２の密閉型タンク４９の底部にはミネラル含有体、例えば化石サンゴ５０が収容され、上記第１の工程からの水を浄化するとともに、エアーを溶存させる第２の工程が実施されるようになっている。
【００２５】
また第２の密閉型タンク４９の底部と上面との間には第１の密閉型タンク４０の場合と同様に循環通路が配管され、ミネラル含有体５０を通過した原水を第２の密閉型タンク４９の底部から取り出して該密閉型タンク４９内の上方の水に衝撃をもって循環させ、原水中にミネラル成分を溶出させるようになっている。
【００２６】
図２において、５１はポンプ、５２はポンプ５１の前に取り付けたストレーナ、５３はフィルタ、５４は紫外線殺菌器である。また、ポンプ５１とフィルタ５３との間には、化石サンゴとゼオライトからなる改質器５５が配設されている。他方、フィルタ５３と開閉弁５６との間には分岐通路５７が接続され、該分岐通路５７の途中には開閉弁５８が配設され、分岐通路５８の先端は第３の密閉型タンク５９の上部に連通して接続される。
なお、第２の密閉型タンク４９の上部にはフィルタ６０および中性場改質器６１を介してコンプレッサ等により空気６２が散気管６３より原水中に圧送されるようになっている。
図中６４はフィルタ５３と開閉弁５６との間に配設した、中性場改質器である。
【００２７】
また第３の密閉型タンク５９の底部と上面との間には第２の密閉型タンク４９の場合と同様に循環通路が配管され、ミネラル含有体６５を通過した原水を第３の密閉型タンク５９の底部から取り出して該密閉型タンク５９内の上方の水に衝撃をもって循環させ、原水中にミネラル成分を溶出させるようになっている。
【００２８】
図２において、６６はポンプ、６７はポンプ６５の前に取り付けたストレーナ、６８はフィルタ、６９は両側にストレーナを配設したスチーマーである。他方、フィルタ６８と開閉弁７０との間には分岐通路７１が接続され、該分岐通路７１の途中には開閉弁７２が配設され、分岐通路７２の先端はフィルタを介して給水口に接続される。
なお、第３の密閉型タンク５９の上部にはフィルタ７３および中性場改質器７４を介してコンプレッサ等により空気７５が散気管７６より原水中に圧送されるようになっている。
【００２９】
第２の系列（図中下段）の原水タンクおよび第１、第２、第３の密閉型タンクも第１の系列のものと同様の構成である。
【００３０】
こうして得られた中性水はそのまま化粧水や毛髪のトリートメントとして使用できることが分かった。また、種子を発芽させる際に、水道水では７日以上しないと発芽しないのに対し、本例の中性水では３日程度で発芽することが確認された。
【産業上の利用可能性】
【００３１】
本発明によれば、原水にミネラル成分を溶解させるとともに、浄化及び殺菌を行い、エアーの溶存濃度を高め、さらに磁場や水処理用のセラミック類を使用して改質することにより中性水を製造するようにしたので、毛髪のパーマ、化粧水、トリートメント、種子の発芽促進用に適した水が得られた。
【図面の簡単な説明】
【００３２】
【図１】この発明の１実施例における中性水の製造方法に使用するシステムを示す構成図である。
【図２】この発明の他の実施例における中性水の製造方法に使用するシステムを示す構成図である。
【符号の説明】
【００３３】
１０  ポンプ
１１  原水タンク
１２  ポンプ
１３  ミクロフィルタ
１４  開閉弁
１５  ストレーナ
１６  紫外線殺菌灯
１８  分岐通路
１９  開閉弁
２０  第１の密閉型タンク
２１  ミネラル含有体
２２  ポンプ
２３  ストレーナ
２４  フィルタ
２５  スチーマー
２６  フィルタ
２７  分岐通路
２８  開閉弁
２９  中性場改質器
３０  ポンプ
３１  原水タンク
３２  ポンプ
３３  ミクロフィルタ
３４  開閉弁
３５  ストレーナ
３６  紫外線殺菌灯
３８  分岐通路
３９  開閉弁
４０  第１の密閉型タンク
４１  中性場改質器
４２  ポンプ
４３  ミクロフィルタ
４４  開閉弁
４５  ストレーナ
４６  紫外線殺菌灯
４７  分岐通路
４８  開閉弁
４９  第２の密閉型タンク
５０  ミネラル含有体
５１  ポンプ
５２  ストレーナ
５３  フィルタ
５４  紫外線殺菌器
５５  改質器
５６  開閉弁
５７  分岐通路
５８  開閉弁
５９  第３の密閉型タンク
６０  フィルタ
６１  中性場改質器
６２  空気
６３  散気管
６４  中性場改質器
６５  ミネラル含有体
６６  ポンプ
６７  ストレーナ
６８  フィルタ
６９  スチーマー
７０  開閉弁
７１  分岐通路
７２  開閉弁
７３  フィルタ
７４  中性場改質器
７５  空気
７６  散気管
【図１】
2005254187.tif 000003
【図２】
2005254187.tif 000004